【手続補正書】
【提出日】平成25年11月12日(2013.11.12)
【手続補正１】
【補正対象書類名】特許請求の範囲
【補正対象項目名】請求項１９
【補正方法】変更
【補正の内容】
【請求項１９】
標準化された属性情報を生成するためのコンピュータプログラムであって、
製品についての属性及び対応する属性値を受信するための機能と、
前記製品についての前記属性及び前記対応する属性値を記憶するための機能と、
前記属性の頻度及び前記対応する属性値の頻度を決定するための機能と、
前記属性の前記頻度及び前記対応する属性値の前記頻度に少なくとも部分的に基づいて、所定の属性集約ルールに従って前記属性及び前記対応する属性値を集約させるための機能と、
前記製品についての属性情報の標準製品ユニットを生成するための機能と、
をコンピュータによって実現させる、コンピュータプログラム。
【手続補正２】
【補正対象書類名】明細書
【補正対象項目名】０１０４
【補正方法】変更
【補正の内容】
【０１０４】
以上の実施形態は、理解を明瞭にする目的で幾らか詳細に説明されてきたが、本発明は、提供された詳細に限定されない。本発明の実現には、多くの代替的手法がある。開示された実施形態は、例示のためであって、限定的はものではない。
適用例１：標準化された属性情報を生成する方法であって、製品についての属性及び対応する属性値を受信することと、前記製品についての前記属性及び前記対応する属性値を記憶することと、前記属性の頻度及び前記対応する属性値の頻度を決定することと、前記属性の前記頻度及び前記対応する属性値の前記頻度に少なくとも部分的に基づいて、所定の属性集約ルールに従って前記属性及び前記対応する属性値を集約させることと、前記製品についての属性情報の標準製品ユニットを生成することと、を備える方法。
適用例２：適用例１に記載の方法は更に、前記属性が所要ではないと決定することと、前記属性の前記頻度を所定の値と比較することと、を備える方法。
適用例３：適用例２に記載の方法は更に、前記属性が有する属性値の選択肢が１つであるか又は複数であるかを決定することを備える方法。
適用例４：適用例３に記載の方法はさらに、前記属性が有する属性値の選択肢が１つであると決定された場合に、前記属性に関係付けられた記憶された属性値の中で最大頻度を持つ属性値を、前記製品についての前記属性情報の標準製品ユニットの一部として特定することを備える方法。
適用例５：適用例３に記載の方法はさらに、前記属性が有する属性値の選択肢が複数であると決定された場合に、前記属性に関係付けられた複数の記憶された属性値、及び対応する複数の頻度を特定することと、前記対応する複数の頻度に少なくとも部分的に基づいて、平均頻度を計算することと、前記対応する複数の頻度の各々を前記平均頻度と比較することと、前記属性に関係付けられた前記複数の記憶された属性値の中で、前記対応する複数の頻度の少なくとも１つが前記平均頻度を上回る少なくとも１つの属性値を、前記製品についての前記標準製品ユニットの一部として特定することと、を備える方法。
適用例６：適用例５に記載の方法はさらに、前記属性に関係付けられた前記複数の記憶された属性値の中で、前記複数の頻度のうちの対応する１つが前記平均頻度未満である１つの属性値を特定することと、前記対応する複数の頻度のなかで最も高い頻度と前記平均頻度との差を決定することと、前記差を前記複数の頻度のうちの特定された対応する１つの頻度で割り算して得られる比率を得ることと、前記比率を所定の比率と比較することと、を備える方法。
適用例７：適用例６に記載の方法において、前記比率を前記所定の比率を比較することは、更に、前記比率が前記所定の比率未満である場合に、前記複数の記憶された属性値のうちの前記特定された１つの属性値を前記製品についての前記標準製品ユニットの一部として特定することを含む、方法。
適用例８：適用例１に記載の方法はさらに、各属性の頻度及び各対応する属性値の頻度を記憶することを備える方法。
適用例９：適用例１に記載の方法はさらに、前記製品についての各属性及び各属性値を入力したユーザの数を記憶することを備える方法。
適用例１０：適用例１に記載の方法はさらに、前記標準製品ユニットのための現属性集約において前記製品についての属性情報を入力したユーザの総数を記憶することを備える方法。
適用例１１：適用例１に記載の方法であって、前記属性情報の標準製品ユニットを生成することは、少なくとも１つの属性及び少なくとも１つの対応する属性値を前記製品についての基準情報として特定することを含む、方法。
適用例１２：  標準化された属性情報を生成するシステムであって、１つ又は２つ以上のプロセッサと、前記プロセッサに接続され、前記プロセッサに命令を提供するように構成されているメモリと、を備え、
前記１つ又は２つ以上のプロセッサは、製品についての属性及び対応する属性値を受信し、前記製品についての前記属性及び前記対応する属性値を記憶し、前記属性の頻度及び前記対応する属性値の頻度を決定し、前記属性の前記頻度及び前記対応する属性値の前記頻度に少なくとも部分的に基づいて、所定の属性集約ルールに従って前記属性及び前記対応する属性値を集約させ、前記製品についての属性情報の標準製品ユニットを生成するように、構成されている、システム。
適用例１３：適用例１２に記載のシステムはさらに、前記属性が所要ではないと決定することと、前記属性の前記頻度を所定の値と比較することと、を備えるシステム。
適用例１４：適用例１３に記載のシステムはさらに、前記属性が有する属性値の選択肢が１つであるか又は複数であるかを決定することを備えるシステム。
適用例１５：適用例１４に記載のシステムはさらに、前記属性が有する属性値の選択肢が１つであると決定された場合に、前記属性に関係付けられた記憶された属性値の中で最大頻度を持つ属性値を、前記製品についての前記属性情報の標準製品ユニットの一部として特定することを備えるシステム。
適用例１６：適用例１４に記載のシステムはさらに、前記属性が有する属性値の選択肢が複数であると決定された場合に、前記属性に関係付けられた複数の記憶された属性値、及び対応する複数の頻度を特定することと、前記対応する複数の頻度に少なくとも部分的に基づいて、平均頻度を計算することと、前記対応する複数の頻度の各々を前記平均頻度と比較することと、前記属性に関係付けられた前記複数の記憶された属性値の中で、前記対応する複数の頻度の少なくとも１つが前記平均頻度を上回る少なくとも１つの属性値を、前記製品についての前記標準製品ユニットの一部として特定することと、を備えるシステム。
適用例１７：適用例１６に記載のシステムはさらに、前記属性に関係付けられた前記複数の記憶された属性値の中で、前記複数の頻度のうちの対応する１つが前記平均頻度未満である１つの属性値を特定することと、前記対応する複数の頻度のなかで最も高い頻度と前記平均頻度との差を決定することと、前記差を前記複数の頻度のうちの特定された対応する１つの頻度で割り算して得られる比率を得ることと、前記比率を所定の比率と比較することと、を備えるシステム。
適用例１８：適用例１２に記載のシステムにおいて、前記属性情報の標準製品ユニットを生成することはさらに、少なくとも１つの属性及び少なくとも１つの対応する属性値を前記製品についての基準情報として特定することを含む、システム。
適用例１９：  標準化された属性情報を生成するためのコンピュータプログラム製品であって、コンピュータ可読記憶媒体に実装され、製品についての属性及び対応する属性値を受信するためのコンピュータ命令と、前記製品についての前記属性及び前記対応する属性値を記憶するためのコンピュータ命令と、前記属性の頻度及び前記対応する属性値の頻度を決定するためのコンピュータ命令と、前記属性の前記頻度及び前記対応する属性値の前記頻度に少なくとも部分的に基づいて、所定の属性集約ルールに従って前記属性及び前記対応する属性値を集約させるためのコンピュータ命令と、前記製品についての属性情報の標準製品ユニットを生成するためのコンピュータ命令と、を備えるコンピュータプログラム製品。